(57)【要約】【課題】  遊技盤ユニットの遊技盤パネル取付枠の交換が容易な遊技機を提供する。【解決手段】  取付枠３５に前面枠４がヒンジ５０を介して片開き可能に設けられて遊技盤ユニット３が形成され、該ヒンジ５０が、取付枠３５に固定されて当該ヒンジ５０の回動軸上に軸部５３が立設される第１の片５１と、前面枠４に固定されて第１の片５１の軸部５３に抜き差し可能に係合される筒部５４が形成される第２の片５２とにより構成される。したがって、本遊技機１は、工具やネジ等を用いることなく、遊技盤ユニット３の取付枠３５に前面枠４が着脱されて、前面枠４の交換を簡単に、且つ短時間で行うことが可能になる。【選択図】  図７
2005160955.tif 000002
【特許請求の範囲】
【請求項１】
遊技機枠に遊技盤ユニットが着脱可能に装着されて形成される遊技機であって、前記遊技盤ユニットは、前記遊技機枠に取り付けられる取付枠と、該取付枠にヒンジを介して片開き可能に取り付けられる前面枠とを備え、前記ヒンジは、前記取付枠に固定される第１の片と前記前面枠に固定される第２の片とが、必要に応じて連結分離可能に形成されることを特徴とする遊技機。
【請求項２】
前記第１の片には、該第１の片に対する前記第２の片の回動軸と同軸の軸部が立設され、また、前記第２の片には、前記軸部に対して前記回動軸の軸線方向へ抜き差し可能に係合される筒部が設けられることを特徴とする請求項１に記載の遊技機。
【発明の詳細な説明】
【技術分野】
【０００１】
本発明は、遊技機枠に遊技盤ユニットが着脱可能に装着されて形成される遊技機に関する。
【背景技術】
【０００２】
従来から、球が遊技媒体として使用される遊技機として、遊技機枠に遊技盤ユニットが着脱可能に装着されて形成されるものが知られている。例えば、特許文献１に記載の遊技機は、遊技機枠に取り付けられる遊技盤ユニットに応じてパチンコ機、或いはスロットマシンが形成される。一般に、この類の遊技機は、ホールの島に取り付けられる後部枠と、該後部枠にヒンジを介して開閉可能に取り付けられる前枠とで遊技機枠が構成され、遊技盤ユニットが後部枠の所定位置に収容される。そして、このような遊技機では、回胴表示装置が複数列（３列）で配設されたスロットマシン用の遊技盤ユニットが後部枠に装着されて、前枠が閉じられることでスロットマシンが形成される。この場合、前枠がパチンコ機とスロットマシンとで共用されるため、ＢＥＴ表示器、ＣＲＥＤＩＴ表示器等のスロットマシン特有の表示器は、上記スロットマシン用の遊技盤ユニットの前面（遊技者から見て手前の面）の遊技盤パネルに表示される。
【０００３】
ところで、前述のようにして形成されるスロットマシンでは、機種変更に際してＢＥＴ表示、ＣＲＥＤＩＴ表示等の遊技盤パネルに表示される各表示が変更される場合に、ＢＥＴ表示器、ＣＲＥＤＩＴ表示器等の各表示器が配設される遊技盤ユニットの遊技盤パネル取付枠のみを交換して対応させることがある。一般に、該遊技盤パネル取付枠が遊技盤ユニットの遊技機枠に装着（固定）される取付枠に対してヒンジを介して片開き可能に取り付けられている。そして、従来、遊技盤ユニットの遊技盤パネル取付枠のみを交換する場合に、旧遊技盤パネル取付枠をヒンジに固定させている複数個のねじを取り外した後、これらのねじを利用して新規遊技盤パネル取付枠をヒンジに固定させていた。したがって、遊技盤パネル取付枠の交換は、多大な手間と時間とを要する作業であり、さらに、複数台の遊技機（スロットマシン）の遊技盤パネル取付枠を限られた時間内で交換する際には、人手が必要であった。
【特許文献１】特開２００２−１９１８１６号公報（段落番号０００８〜００１７、第１図）
【発明の開示】
【発明が解決しようとする課題】
【０００４】
そこで本発明は、上記事情に鑑みてなされたもので、遊技盤ユニットの遊技盤パネル取付枠の交換が容易な遊技機を提供することを目的とする。
【課題を解決するための手段】
【０００５】
上記目的を達成するために、本発明のうち請求項１に記載の発明は、遊技機枠に遊技盤ユニットが着脱可能に装着されて形成される遊技機であって、遊技盤ユニットは、遊技機枠に取り付けられる取付枠と、該取付枠にヒンジを介して片開き可能に取り付けられる前面枠とを備え、ヒンジは、取付枠に固定される第１の片と前面枠に固定される第２の片とが、必要に応じて連結分離可能に形成されることを特徴とする。
請求項２に記載の発明は、請求項１に記載の発明において、第１の片には、該第１の片に対する第２の片の回動軸と同軸の軸部が立設され、また、第２の片には、軸部に対して回動軸の軸線方向へ抜き差し可能に係合される筒部が設けられることを特徴とする。
【０００６】
従って、請求項１に記載の発明では、ヒンジの第１の片と第２の片とを分離させることにより、遊技盤ユニットの取付枠から遊技盤パネル取付枠が取り外される。
請求項２に記載の発明では、遊技盤パネル取付枠が上方へ持ち上げられてヒンジの第２の片の筒部が第１の片の軸部から引き抜かれることにより、遊技盤ユニットの取付枠から遊技盤パネル取付枠が取り外される。
【発明の効果】
【０００７】
遊技盤ユニットの遊技盤パネル取付枠の交換が容易な遊技機を提供することができる。
【発明を実施するための最良の形態】
【０００８】
本発明の一実施の形態を図１〜図７に基づいて説明する。図１に示されるように、本遊技機１は、遊技機枠２にスロットマシン用の遊技盤ユニット３（以下、単に遊技盤ユニット３と称す）が着脱可能に装着されてスロットマシンが形成される。また、図２に示されるように、本遊技機１は、遊技機枠２の前枠５を片開きさせて、さらに遊技盤ユニット３の前面枠４を遊技機枠２の前枠５の片開き方向と同じ方向（図２におけるＡ方向）へ片開きさせることにより、遊技盤ユニット３の取付枠３５に収容された回胴表示ユニット６及び液晶表示ユニット７が現出される。そして、図７に示されるように、本遊技機１は、上記遊技盤ユニット３の取付枠３５に前面枠４が、取付枠３５に固定される第１の片５１と前面枠４に固定される第２の片５２とを必要に応じて連結分離可能なヒンジ５０を介して取り付けられる。これにより、本遊技機１は、遊技盤ユニット３の前面枠４のみを交換するに際し、ヒンジ５０固定用のねじ等を取り外す必要がなく、取付枠３５から前面枠４が容易に取り外すことができると共に取付枠３５に前面枠４を容易に取り付けることができる構造になっている。
【０００９】
図１に示されるように、上記遊技機枠２は、皿装置９が設けられた前枠５が、ヒンジ１０を介して後部枠８に取り付けられて形成され、前枠５が後部枠８に対して片開き（本実施の形態では左開き）される。また、図３に示されるように、上記後部枠８は、ホールに設置される島に取り付け固定される外枠１２と、該外枠１２にヒンジ１３を介して取り付けられて該外枠１２に対して前枠５の片開き方向と同じ方向へ片開き可能な中枠１４とで形成される。さらに、上記前枠５は、皿装置９の上方に、中央に開口部１５が設けられた前面装飾部１６が形成される。該前面装飾部１６は、開口部１５の上側の部位にトップランプが設けられ、該トップランプ１７の左右両側には高音用スピーカ１８が配置される。そして、遊技機枠２は、中枠１４の図３における紙面視右側部の中央に錠１９が設けられ、該錠１９の鍵穴に差込まれた鍵が反時計回り方向へ回動されることにより、前枠５と中枠１４との施錠が解除されて前枠５が中枠１４に対して片開き（左開き）可能になる。また、錠１９の鍵穴に差込まれた鍵が時計回り方向へ回動されることにより、中枠１４と外枠１２との施錠が解除されて中枠１４が外枠１２に対して、前枠５の中枠１４に対する片開き方向と同じ方向へ片開き可能になる。
【００１０】
また、図３に示されるように、本遊技機１は、前枠５の皿装置９の前面にスタートレバースイッチ２０が設けられ、該スタートレバースイッチ２０から出力されたスタート信号が主基板で検出されることにより、回胴表示ユニット６の各回胴表示装置６ａ〜６ｃが駆動されて各回胴表示装置６ａ〜６ｃに図柄が変動表示される構造になっている。そして、前枠５の皿装置９には、各回胴表示装置６ａ〜６ｃの変動表示される図柄を任意のタイミングで停止させるための図柄停止ボタン２１ａ〜２１ｃが設けられる。また、前枠５の皿装置９には、球貸出しがカードユニットにより行われる際に使用される球貸出しボタン２２、球（カード）返却ボタン２３、並びにカードの有価価値が表示される表示器２４が設けられる。さらに、本遊技機１は、前枠５の皿装置９に球排出ボタン２５が設けられて、該球排出ボタン２５が操作されることにより、球収容部２６に収容された球が外部へ排出される構造になっている。
【００１１】
また、図３及び図４に示されるように、前枠５の皿装置９には、遊技において最大の賭球数（ＭＡＸＢＥＴ）が設定されるＭＡＸＢＥＴボタン２７、ＭＡＸＢＥＴよりも小さい賭球数が設定される１ＢＥＴボタン２８、賭球数の設定が取り消されるキャンセルボタン２９、獲得或いは投入された球が精算されて所定位置に回収される球抜きボタン３０が配設される。なお、本遊技機１は、メダルが使用されるスロットマシンの１ＢＥＴ当りの投入金額に合わせて、１ＢＥＴに対する賭球数が５個に設定される。また、図１に示されるように、上記後部枠８の中枠１４は、上部に遊技盤ユニット３が収容される遊技盤ユニット収容部３１が形成され、下部に低音用スピーカ３２、前枠５に取り付けられた球取り込み装置３３が収容される球取り込み装置収容部３４等が設けられる。そして、図４に示されるように、本遊技機１は、上記中枠１４の遊技盤ユニット収容部３１に収容された遊技盤ユニット３が、前枠５に形成された開口部１５から臨む構造になっている。
【００１２】
また、図５に示されるように、遊技盤ユニット３は、着脱機構を介して中枠１４に着脱可能に取り付けられる取付枠３５と、該取付枠３５に一対のヒンジ５０を介して取り付けられる前面枠４とを含んで形成される。これにより、遊技盤ユニット３は、取付枠３５が中枠１４に取り付けられた状態で前面枠４が取付枠３５に対して、前枠５が後部枠８に対して片開きされる方向、並びに中枠１４が外枠１２に対して片開きされる方向と同じ方向へ片開きされる構造になっている。また、図７に示されるように、各ヒンジ５０は、取付枠３５に固定される第１の片５１に軸部５３が立設されると共に前面枠４に固定される第２の片５２に筒部５４が設けられて、軸部５３に筒部５４が抜き差し可能に係合されて形成される。これにより、遊技盤ユニット３は、前面枠４を取付枠３５に対して少なくとも軸部５３の長さだけ上方へ持ち上げて各ヒンジ５０の第１の片５１の軸部５３と第２の片５２の筒部５４との係合を解除させることで取付枠３５から前面枠４が取り外されて、また、各ヒンジ５０の第１の片５１の軸部５３に第２の片５２の筒部５４を係合させることで取付枠３５に前面枠４が取り付けられる構造になっている。
【００１３】
また、図５に示されるように、上記取付枠３５には、液晶表示ユニット７を位置決めさせるための２つの突起３８が設けられると共に、端面に液晶表示ユニット７を固定させるための留め孔３９が形成された複数本（本実施の形態では４本）のボス４０が配設される。さらに、液晶表示ユニット７には、取付枠３５に設けられた各突起３８に係合可能な各位置決め用孔４１が形成されると共に、各位置決め用孔４１が取付枠３５の各突起３８に係合されることで、取付枠３５の各ボス４０の留め孔３９に整合されるように配置された各留め具４２が設けられる。そして、液晶表示ユニット７は、各位置決め用孔４１に取付枠３５の各突起３８が係合されることで取付枠３５に対して位置決めされ、この状態で、各留め具４２が取付枠３５の各ボス４０の留め孔３９に係合されることで、取付枠３５に固定される構造になっている。また、上記取付枠３５には、回胴表示ユニット６の各回胴表示装置６ａ〜６ｃを位置決めさせるための一対の突起４３が回胴表示装置配置方向に各回胴表示装置６ａ〜６ｃ毎に設けられると共に、各回胴表示装置６ａ〜６ｃを固定させるための留め孔４４が配設される。
【００１４】
さらに、図５に示されるように、各回胴表示装置６ａ〜６ｃの各取付片４５には、取付枠３５に設けられた一対の各突起４３に係合可能な各位置決め用孔４６が形成されると共に、各位置決め用孔４６が取付枠３５の各突起４３に係合されることで、取付枠３５の各留め孔４４に整合されるように配置された留め具４７が設けられる。そして、各回胴表示装置６ａ〜６ｃは、各位置決め用孔４６に取付枠３５の各突起４３が係合されることで取付枠３５に対して位置決めされ、この状態で、各留め具４７が取付枠３５の各留め孔４４に係合されることで、取付枠３５に個別に固定される構造になっている。なお、取付枠３５に装着された液晶表示ユニット７、及び回胴表示ユニット６の各回胴表示装置６ａ〜６ｃを取付枠３５から脱離させる場合には、留め具４２，４７を押し込むことにより、留め具４２，４７と留め孔３９，４４との係合を解除させればよい。
【００１５】
また、図１及び図２に示されるように、上記前面枠４には、液晶表示ユニット７及び回胴表示ユニット６を視認するための開口部４８，４９が形成される。そして、図６に示されるように、前面枠４の前面には、前面枠４の周縁に配設された複数個の爪部３８により支持されて、アクリル製のパネルに意匠図柄が印刷されたフィルムが貼着されて形成されたデザインパネル３７が着脱可能に取り付けられる。なお、遊技盤ユニット３は、前面枠４に取り付けられた吸着板が取付枠３５に設けられたマグネットで吸着されることで前面枠４が取付枠３５に対して閉じられた状態で保持されて、図２に示されるように、前面枠４に設けられたノブ１１が手前に引張られることで前面枠４が取付枠３５に対して、前枠５が後部枠８に対して片開きされる方向と同じ方向へ片開きされる構造になっている。
【００１６】
次に、本実施の形態の作用を説明する。以下、遊技機枠２に装着された遊技盤ユニット３の前面枠４を交換する際の手順を説明する。まず、遊技機枠２の右側部分に設けられた錠１９に所定の鍵を差込んで反時計回り方向へ回動させて、前枠５と中枠１４とのロックを解除させる。この状態で、図１に示されるように、前枠５を後部枠８（中枠１４）に対して左開きに片開きさせて、後部枠８の中枠１４に装着された遊技盤ユニット３を現出させる。次に、図２に示されるように、遊技盤ユニット３の前面枠４のノブ１１を手前に引くことで、前面枠４を取付枠３５に対して、前枠５が後部枠８に対して片開きされる方向と同じ方向へ片開きさせる。この状態で、前面枠４に配設される各表示器に接続された各コネクタのうち、前面枠４と取付枠３５との間に接続されるケーブルのコネクタを前面枠４から取り外した後、前面枠４を取付枠３５に対して、少なくともヒンジ５０の第１の片５１の軸部５３の長さだけ上方へ持ち上げる。これにより、各ヒンジ５０の第１の片５１と第２の片５２との係合が解除されて、前面枠４が取付枠３５から取り外される。
【００１７】
次に、遊技機枠２（中枠１４）に装着された取付枠３５に固定される各ヒンジ５０の軸部５３と、新規前面枠４に固定されている各ヒンジ５０の第２の片５２の筒部５４とが同軸上に位置されるように、新規前面枠４を取付枠３５に対して上方に位置決めさせる。この状態で、新規前面枠４を取付枠３５に対して下方へ移動させることにより、各ヒンジ５０の第１の片５１に立設された軸部５３に第２の片５２の筒部５４が係合されて、取付枠３５に新規前面枠４が片開き可能に取り付けられる。
【００１８】
この実施の形態では以下の効果を奏する。
本遊技機１は、取付枠３５に前面枠４がヒンジ５０を介して片開き可能に設けられて遊技盤ユニット３が形成され、該ヒンジ５０が、取付枠３５に固定されて当該ヒンジ５０の回動軸上に軸部５３が立設される第１の片５１と、前面枠４に固定されて第１の片５１の軸部５３に抜き差し可能に係合される筒部５４が形成される第２の片５２とにより構成される。これにより、遊技盤ユニット３の前面枠４を交換するに際して、前面枠４を取付枠３５に対して上方へ持ち上げることにより、第１の片５１の軸部５３と第２の片５２の筒部５４との係合が解除されて前面枠４が取付枠３５から取り外される。また、この状態で、取付枠３５に固定された第１の片５１の軸部５３に、新規前面枠４に固定された第２の片５２の筒部５４を係合させることにより、遊技機枠２（中枠１４）に装着された取付枠３５に、新規前面枠４が片開き可能に取り付けられる。
したがって、本遊技機１は、工具やねじ等を用いることなく、遊技盤ユニット３の取付枠３５に前面枠４が着脱されるので、前面枠４の交換を簡単に、且つ短時間で行うことが可能になる。
【００１９】
なお、実施の形態は上記に限定されるものではなく、例えば次のように構成してもよい。
本実施の形態では、遊技盤ユニット３の前面枠４が取付枠３５に対して、遊技機枠２の前枠５が後部枠８に対して片開きされる方向と同じ方向へ片開きされるように、前面枠４と取付枠３５との間にヒンジ５０を介在させたが、遊技盤ユニット３の前面枠４が取付枠３５に対して、遊技機枠２の前枠５が後部枠８に対して片開きされる方向と反対方向へ片開きされるように、前面枠４と取付枠３５との間にヒンジ５０を介在させてもよい。
取付枠３５に固定されるヒンジ５０の第１の片５１に筒部５４を設けると共に、前面枠４に固定される第２の片５２に当該ヒンジ５０の回動軸と同軸の軸部５３を垂設し、第１の片５１の筒部５４に第２の片５２の軸部５３を抜き差し可能に係合させて、取付枠３５に前面枠４を着脱可能に取り付けてもよい。
【図面の簡単な説明】
【００２０】
【図１】本実施の形態の説明図であって、遊技機枠の前枠を後部枠に対して片開きさせた状態を示す斜視図である。
【図２】本実施の形態の説明図であって、図１における状態から、遊技盤ユニットの前面枠を取付枠に対して、遊技機枠の前枠が後部枠に対して片開きされる方向と同じ方向へ片開きさせた状態を示す斜視図である。
【図３】本実施の形態の説明図であって、遊技機枠を構成する各枠と遊技盤ユニットとを示す斜視図である。
【図４】本遊技機の正面図である。
【図５】本実施の形態の説明図であって、遊技盤ユニットの分解斜視図である。
【図６】本実施の形態の説明図であって、デザインパネルと、該デザインパネルが脱離された状態の遊技盤ユニットとを示す斜視図である。
【図７】本実施の形態の説明図であって、遊技盤ユニットの取付枠と前面枠とが分離された状態を示す図である。
【符号の説明】
【００２１】
１  遊技機、２  遊技機枠、３  遊技盤ユニット、４  前面枠、５  前枠、６  回胴表示ユニット、７  液晶表示ユニット、８  後部枠、５０  ヒンジ、５１  第１の片、５２  第２の片、５３  軸部、５４  筒部
【図１】
2005160955.tif 000003
【図２】
2005160955.tif 000004
【図３】
2005160955.tif 000005
【図４】
2005160955.tif 000006
【図５】
2005160955.tif 000007
【図６】
2005160955.tif 000008
【図７】
2005160955.tif 000009